(57)【特許請求の範囲】
【請求項１】
ＬＮＧ貯槽、およびＬＮＧ蒸発器およびその附属部品を備えて構成されるユニットパッケージ化されたＬＮＧモバイルサテライトであって、
ＬＮＧ貯槽が、長手方向横置きとされ、ＬＮＧ貯槽、およびＬＮＧ蒸発器およびその附属部品の長手方向の長さおよび横断面がコンテナ輸送車両のコンテナサイズのフレームに収納可能な長さ内および横断面内とされて、コンテナ輸送車両に固着されるフレームにＬＮＧ貯槽、およびＬＮＧ蒸発器およびその附属部品が収納されたユニットパケージ形態の状態で、コンテナ輸送車両で搬送可能とされたユニットパッケージであって、コンテナ輸送車両によって搬送され、フレームを介して天然ガス消費場所の土台ベースに固定されて、ＬＮＧローリー車からＬＮＧの供給を受け、ガス化された天然ガスを供給するＬＮＧモバイルサテライトとして機能するユニットパッケージであり、
該ユニットパッケージが、ユニットパッケージ形態の状態が維持されて、コンテナ輸送車両によって搬送され、フレームを介して天然ガス消費場所の土台ベースに固定されて、次の搬送まで、ユニットパッケージ形態の状態が維持されてＬＮＧモバイルサテライトして固定状態が維持され、フレームの土台ベースへの固定状態が解除されると、ユニットパッケージ形態が維持された状態で、コンテナ輸送車両で他の場所に搬送、設置可能であること
を特徴とするユニットパッケージ化されたＬＮＧモバイルサテライト。
【請求項２】
請求項１に記載したユニットパッケージ化されたＬＮＧモバイルサテライトにおいて、フレームが一つの部分の一体形態とされ、ＬＮＧ貯槽、およびＬＮＧ蒸発器およびその附属部品が一体形態のフレームに収納配置されることを特徴とするユニットパッケージ化されたＬＮＧモバイルサテライト。
【請求項３】
請求項１に記載したユニットパッケージ化されたＬＮＧモバイルサテライトにおいて、フレームが二つの部分からなる別体形態とされ、ＬＮＧ貯槽がフレームの一方に、ＬＮＧ蒸発器およびその附属部品がフレームの他方に収納配置され、双方の部分のフレームの土台ベースへの固定状態が水平方向に同一高さとされることを特徴とするユニットパッケージ化されたＬＮＧモバイルサテライト。
【請求項４】
請求項１に記載したユニットパッケージ化されたＬＮＧモバイルサテライトにおいて、ＬＮＧ蒸発器が、立て型配置とされ、その高さは、フレーム横断面の高さと同一もしくはそれ以下とされたことを特徴とするユニットパッケージ化されたＬＮＧモバイルサテライト。
【請求項５】
請求項１に記載したユニットパッケージ化されたＬＮＧモバイルサテライトおいて、フレームが正直方体状に形成され、ユニットパッケージが、各フレームを介して積層されることを特徴とするユニットパッケージ化されたＬＮＧモバイルサテライト。
【請求項６】
請求項１から５のいずれかに記載したユニットパッケージ化されたＬＮＧモバイルサテライトを構成するユニットパッケージを、コンテナ輸送車両による搬送時および土台ベースに固定されたＬＮＧモバイルサテライト時に、ＬＮＧ貯槽、およびＬＮＧ蒸発器およびその附属部品をフレームに収納した状態が維持されて、コンテナ輸送車両によって搬送され、土台ベースに固定され、次の搬送まで、ユニットパッケージ形態の状態が維持されてＬＮＧモバイルサテライトして固定状態が維持され、フレームの土台ベースへの固定状態が解除されると、ユニットパッケージ形態が維持された状態で、コンテナ輸送車両で他の場所に搬送、設置されることを特徴とするユニットパッケージ化されたＬＮＧモバイルサテライトの搬送および運用方法。
【発明の詳細な説明】
【技術分野】
【０００１】
本発明は、ＬＮＧモバイルサテライトシステムおよびＬＮＧモバイルサテライトシステムの搬送、運用方法に関する。
【背景技術】
【０００２】
近年、石油・石炭に代わるエネルギー資源として天然ガスが注目を集めている。天然ガスは、燃焼時における硫黄酸化物・煤塵の発生が極めて少なく、地球温暖化の原因となる二酸化炭素や大気汚染・酸性雨の原因となる窒素酸化物の排出量が石油・石炭に比べて少ないため、地球環境問題に貢献できるエネルギー源と言える。特に、頁岩層から採取される天然ガス（シェールガス）取り出しに関する新技術の出現によるシェールガス革命により、安価で大量の天然ガスの安定供給が可能になったことで、今後のエネルギー源における天然ガスの果たす役割は、ますます大きなものになることが予想される。天然ガスへの燃料交換は、地球温暖化を促進する炭酸ガスの排出量削減に大きな効果がある。単純に重油を天然ガスに燃料変換した場合、約３０％弱の削減が出来、地球温暖化抑制に大きな効果を上げること出来る。これらの効果から、数年前から燃料転換が積極的に推進されており、シェールガス革命と相まって今後天然ガス化がますます促進されることが予想される。
【０００３】
現在、パイプラインによる直接的な天然ガス（都市ガス）の供給が可能な地域を除くと、天然ガスの供給方法は、液化天然ガス（以下、ＬＮＧと呼ぶ）貯槽・ＬＮＧ蒸発器・圧力調整装置を主要な構成要素とする定置式のＬＮＧ供給設備（以下ＬＮＧサテライトと呼ぶ）を各天然ガス消費場所に建設し、その定置式のＬＮＧサテライトへＬＮＧローリー車によりＬＮＧを輸送・供給する方法が一般的である。
【０００４】
特許文献１には、バルクコンテナをＬＮＧローリー車に該当するトレーラーによって輸送することが記載されている。
【０００５】
特許文献２には、都市ガス製造設備に固定された受入側気化器に、ＬＮＧローリー車に該当する荷物車によって運搬される液化天然ガス貯蔵用タンクを着脱可能に連設することが記載されている。
【先行技術文献】
【特許文献】
【０００６】
【特許文献１】特開２００７−８５４０３号公報
【特許文献２】実開昭６２−１５１５００号公報
【発明の概要】
【発明が解決しようとする課題】
【０００７】
一般的な定置式のＬＮＧサテライトは、定置式のＬＮＧ貯槽・ＬＮＧ蒸発器・圧力調整装置を主要な構成要素として備えており、ＬＮＧローリー車よりＬＮＧをＬＮＧ貯槽へ供給し、ＬＮＧ貯槽にて貯蔵され、ＬＮＧ貯槽より払い出されたＬＮＧはＬＮＧ蒸発器によりガス化され天然ガスとなり、その天然ガスは圧力調整装置により圧力調整された後、消費設備にあたる天然ガス送出系統に送出される。このような一般的な定置式のＬＮＧサテライトを建設するには、設置スペース、建設期間、大きなコスト等が必要となる。また、天然ガス消費量増加に伴うＬＮＧサテライトの増設は容易ではない。さらに、ＬＮＧサテライトを介して天然ガス供給を行っていた場所に対し、将来的にパイプラインが設置され直接的な天然ガス（都市ガス）の供給が可能となった場合、既存のＬＮＧサテライトは不要となるため、その設備の処分に大きな労力とコストが必要になる他、ＬＮＧサテライト設備そのものが廃棄処分となり大きな資源損失となってしまう。
【０００８】
特許文献１に記載されている様な定置式のＬＮＧサテライトを建設するには、設置スペース、建設期間、大きなコストが必要になるばかりでなく、ＬＮＧサテライトの再運用を含めた柔軟性のある運用ができない。
特許文献２には、運搬されたＬＮＧ貯槽をＬＮＧサテライトのＬＮＧ貯槽として使用することが記載されている。しかし、この公報には、ＬＮＧ気化器が固定式定置式の気化器が採用されており、柔軟性のある運用ができず、設置スペース、建設期間、大きなコストが必要になること、その再運用を行って省資源化を図るという問題が十分に解決されていない。
【０００９】
従来の方式にあっては、シェールガス革命により、安価で大量の天然ガスの安定供給が可能になったことに対する対応がなされていない。すなわち、従来の方式では、天然ガス消費量増加に伴うＬＮＧサテライトの増設についての配慮がなされていない。さらに、ＬＮＧサテライトを介して天然ガス供給を行っていた場所に対し、将来的にパイプラインが設置され直接的な天然ガス（都市ガス）の供給が可能になった場合、既存のＬＮＧサテライトは不要となるため、設備の処分に大きな労力とコストが必要になり、またＬＮＧサテライト設備そのものが廃棄処分となり大きな資源損失となってしまう問題がある。
【００１０】
本発明は、かかる点に鑑みＬＮＧサテライトの建設時間・コスト・設置スペース・撤去に関する問題点を解消し、搬送を簡便にして有効に再運用し続けるようにして、シェールガス革命により、安価で大量の天然ガスの安定供給が可能になったことで、今後のエネルギー源における天然ガスの果たす役割がますます大きなものになり、パイプラインによる消費者への直接的な天然ガス（都市ガス）供給がなされるようになる事態になることに十分に対処することが出来るようにすることを目的とする。
【課題を解決するための手段】
【００１１】
本発明は、
ＬＮＧ貯槽、およびＬＮＧ蒸発器およびその附属部品を備えて構成されるＬＮＧモバイルサテライトであって、
ＬＮＧ貯槽が、長手方向横置きとされ、ＬＮＧ貯槽、およびＬＮＧ蒸発器およびその附属部品の長手方向の長さおよび横断面がコンテナ輸送車両のコンテナサイズのフレームに収納可能な長さ内および横断面内とされて、コンテナ輸送車両に固着されるフレームにＬＮＧ貯槽、およびＬＮＧ蒸発器およびその附属部品が収納され、コンテナ輸送車両で搬送可能とされたユニットパッケージであって、構成されたユニットパッケージが、ＬＮＧモバイルサテライトの主要部を構成する、ＬＮＧ貯槽、およびＬＮＧ蒸発器およびその附属部品をフレームに収納状態で、コンテナ輸送車両で搬送され、フレームを介して天然ガス消費場所の土台ベースに固定されて、固定状態が維持されるＬＮＧモバイルサテライトを構成し、
フレームの土台ベースへの固定状態が解除されると、ユニットパッケージ構成のＬＮＧ貯槽、およびＬＮＧ蒸発器およびその附属部品をフレームに収納状態で、ＬＮＧモバイルサテライトをコンテナ輸送車両で他の場所に搬送、設置可能なユニットパッケージとされ、
コンテナ輸送車両による搬送時および土台ベースに固定されたＬＮＧモバイルサテライト構成時に、フレーム内に長手方向横置きとされたＬＮＧ貯槽、およびＬＮＧ蒸発器およびその附属部品の、フレームに収納状態が維持されること
を特徴とするユニットパッケージ化されたＬＮＧモバイルサテライトを提供する。
【００１２】
上述したユニットパッケージ化されたＬＮＧモバイルサテライトにおいて、フレームが一つの部分の一体形態とされ、ＬＮＧ貯槽、およびＬＮＧ蒸発器およびその附属部品が一体形態のフレームに収納配置されることを特徴とするユニットパッケージ化されたＬＮＧモバイルサテライトを提供する。
【００１３】
上述したユニットパッケージ化されたＬＮＧモバイルサテライトにおいて、フレームが二つの部分からなる別体形態とされ、ＬＮＧ貯槽がフレームの一方に、ＬＮＧ蒸発器およびその附属部品がフレームの他方に収納配置され、双方の部分のフレームの土台ベースへの固定状態が水平方向に同一高さとされることを特徴とするユニットパッケージ化されたＬＮＧモバイルサテライトを提供する。
【００１４】
上述したユニットパッケージ化されたＬＮＧモバイルサテライトにおいて、ＬＮＧ蒸発器が、立て型配置とされ、その高さは、フレーム横断面の高さと同一もしくはそれ以下とされたことを特徴とするユニットパッケージ化されたＬＮＧモバイルサテライトを提供する。
【００１５】
上述したユニットパッケージ化されたＬＮＧモバイルサテライトおいて、フレームが正直方体状に形成され、ユニットパッケージが、各フレームを介して積層されることを特徴とするユニットパッケージ化されたＬＮＧモバイルサテライトを提供する。
【００１６】
上述したユニットパッケージ化されたＬＮＧモバイルサテライトを構成するユニットパッケージを、コンテナ輸送車両による搬送時および土台ベースに固定されたＬＮＧモバイルサテライト時に、ＬＮＧ貯槽、およびＬＮＧ蒸発器およびその附属部品の、フレームに収納状態を維持して、コンテナ輸送車両によって搬送し、土台ベースに固定し、土台ベース固定状態を解除して、コンテナ輸送車両で他の場所に搬送、設置することを特徴とするＬＮＧモバイルサテライトの搬送および設置方法を提供する。
【発明の効果】
【００１７】
本発明は、上述のようなユニットパッケージが構成され、ユニットパッケージを搬送時のコンテナとしてのユニットパッケージとして、またＬＮＧ供給時のＬＮＧ貯槽タンクとしてのユニットパッケージとしてコンテナ輸送車両による搬送時および土台ベースに固定されたＬＮＧモバイルサテライト構成時に、フレーム内に長手方向横置きとされたＬＮＧ貯槽、およびＬＮＧ蒸発器およびその附属部品の、フレームに収納ま状態を維持することができ、
ユニットパッケージを構成することで、従来のＬＮＧサテライトの建設時間・コスト・設置スペース・撤去に関する問題点を解消し、搬送を簡便にして有効に再運用し続けるようにして柔軟性のある運用が可能となる。
さらに、ＬＮＧモバイルサテライトにおいて、ＬＮＧ貯槽を載置する各種タイプのユニットパッケージおよびＬＮＧ蒸発器を載置するベーパーパッケージが一体化可能とした、ユニットパッケージで構成されることで、従来のＬＮＧサテライトの建設時間・コスト・設置スペース・撤去に関する問題点を解消し、搬送を簡便にして有効に再運用し続けるようにして柔軟性のある運用が可能となり、更にシェールガス革命により、安価で大量の天然ガスの安定供給が可能になったことで、今後のエネルギー源における天然ガスの果たす役割がますます大きなものになることに十分に対処するシステムを提供できるようになる。
【図面の簡単な説明】
【００１８】
【図１】本発明の実施例１および実施例２の構成からなる概略系統を示す図。
【図２】本発明の第１実施例の構成を示す斜視図。
【図３】本発明の第１実施例の構成を示す正面図。
【図４】図３の平面を示す図。
【図５】図３の側面を示す図。
【図６】図３のＡ−Ａ断面を示す図。
【図７】図３のＢ−Ｂ断面を示す図。
【図８】ユニットパッケージ使用状態を示す図。
【図９】本発明の実施例の運用フローを示す図。
【図１０】本発明の第２実施例のタイプＢタンクパッケージの構成を示す斜視図。
【図１１】本発明の第２実施例のタイプＢタンクパッケージの構成を示す正面図。
【図１２】図１１の平面を示す図。
【図１３】図１１の側面を示す図。
【図１４】本発明の第２実施例のタイプＢベーパーパッケージの斜視図。
【図１５】本発明の第２実施例のタイプＢベーパーパッケージの正面図。
【図１６】図１３の平面を示す図。
【図１７】図１３の左側面を示す図。
【図１８】図１３の右側面を示す図。
【図１９】本発明の第２実施例のタイプＢベーパーパッケージの他の例の斜視図。
【図２０】ユニットパッケージの他の使用状態を示す図。
【発明を実施するための形態】
【００１９】
以下、本発明の実施例を図面に基づいて説明する。なお、詳細については以下に後述するが、図１に本発明のユニットパッケージ化されたＬＮＧモバイルサテライトの構成例を示す。図１はＬＮＧモバイルサテライトの実施例１タイプＡならびに実施例２タイプＢの双方を示したものである。各図において、本発明がＬＮＧモバイルサテライトユニットパッケージ構成であって、コンテナ専用輸送車両によって搬送可能な形態を有することを示すために寸法が記入されている（単位ｍｍ）。実施例１をタイプＡとし、ＬＮＧ貯槽１、ＬＮＧ蒸発器（気化器）２および圧力調整装置３を含む附属部品を１つのフレーム上に載置し、ユニットパッケージとしてタイプＡユニットパッケージ１０を構成し、それを天然ガス消費場所の土台ベース２１（図８参照）上に設置した時にタイプＡ ＬＮＧモバイルサテライト１００Ａとなる。この場合には、一つの一体構造のユニットパッケージとして構成している。また、実施例２をタイプＢとし、ＬＮＧ貯槽１を１つのパッケージとしたタイプＢタンクパッケージ１１およびＬＮＧ蒸発器（気化器）２および圧力調整装置３を含む附属部品を１つのパッケージのタイプＢベーパーパッケージ１２からなるユニットパッケージとしている。この場合には、別体形態のユニットパッケージとして構成している。一体的にそれらを天然ガス消費場所の土台ベースに設置した時にタイプＢ ＬＮＧモバイルサテライト１００Ｂとなる。
【００２０】
タイプＡ ＬＮＧモバイルサテライト１００ＡおよびタイプＢ ＬＮＧモバイルサテライト１００Ｂを合わせて呼ぶ時にＬＮＧモバイルサテライト１００となる。タイプＡユニットパッケージ１０、およびタイプＢタンクパッケージ１１およびタイプＢベーパーパッケージ１２からなるユニットパッケージを合わせて呼ぶ時にユニットパッケージ１０と称する。したがって、タイプＡユニットパッケージ１０は、それ自体ユニットパッケージを指すので、ユニットパッケージ１０として記載することがある。
【００２１】
図１に、実施例１および実施例２がまとめて表示される。このために、実施例２のタイプＢタンクパッケージ１１とタイプＢベーパーパッケージ１２の間に位置するフレーム４を構成する縦方向配置のフレーム部を点線表示としている。
【００２２】
図１に示される実施例は、ＬＮＧ貯槽１、およびＬＮＧ蒸発器２および圧力調整装置３を含むその附属部品を備えて構成されるＬＮＧモバイルサテライト１００Ａまたは１００ＢがＬＮＧモバイルサテライトの土台ベースに固定されている状態を示す。
【００２３】
ＬＮＧ貯槽１が、長手方向横置きとされ、ＬＮＧ貯槽１、およびＬＮＧ蒸発器２およびその附属部品の長手方向の長さおよび横断面がコンテナ専用輸送車両２００のコンテナサイズのフレームに収納可能な長さ内および横断面内とされ、フレーム４にＬＮＧ貯槽１、およびＬＮＧ蒸発器２およびその附属部品が収納されてユニットパッケージ１０が構成される。
【００２４】
ユニットパッケージ１０は、コンテナ専用輸送車両２０で搬送可能とされ、コンテナ専用輸送車両でけん引される時のコンテナとしてのユニットパッケージとＬＮＧモバイルサテライトの土台ベースに固定されて消費者にＬＮＧを供給する時のタンクパッケージとしてのユニットパッケージの二つの機能を有しており、これらの機能が発揮されるように構成される。このように、ユニットパッケージは、コンテナとしてのパッケージ機能およびＬＮＧ供給設備のＬＮＧタンクしてのパッケージ機能を有する。
【００２５】
ＬＮＧ貯槽１、およびＬＮＧ蒸発器２およびその附属部品を金属製のフレーム４に収納そのままの状態で、フレーム４を介してＬＮＧモバイルサテライトの土台ベースに固定されて、ＬＮＧモバイルサテライト１００を構成し、ＬＮＧモバイルサテライ１００としての使用がなさることになる。
【００２６】
このＬＮＧモバイルサテライト１００は、ＬＮＧモバイルサテライトの土台ベースへの固定状態が解除されると、ＬＮＧ貯槽１、およびＬＮＧ蒸発器２およびその附属部品をフレーム４に収納そのままの状態で、ＬＮＧモバイルサテライトタイプＡユニットパッケージ１０、あるいはＬＮＧモバイルサテライトタイプＢのタンクパッケージ１１およびベーパーパッケージ１２の双方で示されるユニットパッケージ１０としてコンテナ専用輸送車両２０で他の場所に搬送、設置可能とされる。コンテナ専用輸送車両２０による搬送時およびＬＮＧモバイルサテライトの土台ベースへの固定構成時に、ＬＮＧ貯槽１、およびＬＮＧ蒸発器２およびその附属部品をフレームに収納そのままの状態が維持されることを特徴とするパッケージ化されたＬＮＧモバイルサテライト１００が構成される。
【００２７】
以下、実施例ごとに図面に基づいて説明する。
【実施例１】
【００２８】
図２〜図９は、本発明の実施例であるＬＮＧモバイルサテライトの構成および搬送、運用時における状況を示す図であり、図２は、本発明の実施例であるＬＮＧモバイルサテライトの斜視図、図３〜図７は、それぞれタイプＡユニットパッケージ１０の構成を示す正面図、平面図、側面図、Ａ−Ａ断面図、Ｂ−Ｂ断面を示す図である。図８は、ＬＮＧモバイルサテライトの搬送、配設時における状況を示す図である。
【００２９】
図２に示されるように、ＬＮＧ貯槽１が、長手方向横置きとされ、ＬＮＧ貯槽、およびＬＮＧ蒸発器２およびその附属部品の長手方向の長さおよび横断面がコンテナ専用輸送車両２０のコンテナサイズのフレーム４に収納可能な長さ内および横断面内とされて、コンテナ専用輸送車両２０に固着されるフレームにＬＮＧ貯槽１、およびＬＮＧ蒸発器２およびその附属部品が収納され、コンテナ輸送車両で搬送可能とされたユニットパッケージ１０が構成される。その附属部品とは、特に圧力調整装置３を含む附属部品を意味する。
図２〜図７において、タイプＡユニットパッケージ１０は、ＬＮＧ貯槽１、ＬＮＧ蒸発器２、圧力調整装置３、降圧装置５、付随するバルブ・計器類７、および温水入口６Ａ、温水出口６Ｂを備え、これらを配管８にて接続して構成される。圧力調整装置３、降圧装置５、付随するバルブ、および温水入口６Ａ、温水出口６ＢがＬＮＧ蒸発器２の付属部品となる。他の計器が附属されることがある。これらの装置が金属製のコンテナサイズのフレーム４に収納配置されて一体化される。フレーム４は、ＬＮＧ貯槽のタンクパッケージ収納領域配置のタンク部の左端からベーパーパッケージ収納領域のベーパー部の右端まで一体の形態で延在した一つの部分からなる。ＬＮＧ貯槽１を載置する水平面部材とこの水平面部材の４辺から上方に延びる縦方向配置のフレームから構成される。フレームは、基本的に網状の金属フレームで構成することが出来るが周囲に板材を配置してもよい。また、周辺部およびフレーム最上面部は、平面板材４０で構成される。全ての面を、一部の面を平面板材で形成してもよい。最上面は、上方に解放され、ユニットパッケージが積層、搬入、搬出可能とされる。
【００３０】
ＬＮＧ貯槽１が、長手方向横置きとされる。ＬＮＧ貯槽１、およびＬＮＧ蒸発器２およびその附属部品の長手方向の長さおよび横断面がコンテナ専用輸送車両２０のコンテナサイズのフレームに収納可能な長さ内および横断面内とされる。フレーム４にＬＮＧ貯槽１、およびＬＮＧ蒸発器２およびその附属部品が収納されてユニットパッケージ１０が構成される。ユニットパッケージ１０がコンテナ専用輸送車両２０で搬送可能とされる。コンテナ専用輸送車両でなくてもよいが、以下コンテナ専用輸送車両を使用しての搬送の例を説明する。
【００３１】
ユニットパッケージ１０は、コンテナ専用輸送車両でけん引される時のコンテナパッケージとしてのユニットパッケージとＬＮＧモバイルサテライトの土台ベースに固定されて消費者にＬＮＧを供給する時のタンクパッケージとしてのユニットパッケージとしての二つの機能を有している。
【００３２】
ユニットパッケージ１０は、ＬＮＧ貯槽１、およびＬＮＧ蒸発器２およびその附属部品をフレーム４に収納そのままの状態で、フレーム４を介してＬＮＧモバイルサテライトの土台ベースに固定されたとき、ＬＮＧモバイルサテライトの主要部を構成する。固定状態が維持され、ＬＮＧ送給が可能とされてＬＮＧモバイルサテライトが構成される。
このＬＮＧモバイルサテライトがＬＮＧモバイルサテライトの土台ベースへの固定状態が解除されると、すなわちフレーム４の土台ベースからの固定状態が解除されると、ＬＮＧ貯槽１、およびＬＮＧ蒸発器２およびその附属部品をフレーム４に収納そのままの状態で、ユニットパッケージ１０としてコンテナ専用輸送車両２０で他の場所に搬送、設置可能とされる。コンテナ専用輸送車両２０による搬送時およびＬＮＧモバイルサテライトの土台ベースへの設置、固定時にＬＮＧ貯槽１、およびＬＮＧ蒸発器２およびその附属部品をフレームに収納そのままの状態が維持されることを特徴とするパッケージ化されたＬＮＧモバイルサテライト１００が構成される。
【００３３】
タイプＡユニットパッケージ１０を天然ガス消費場所の土台ベース上に設置し、タイプＡ ＬＮＧモバイルサテライト１００Ａとした場合、その外部で近接して、温水（蒸気）供給設備（図示せず）が設置される。温水供給設備からの温水あるいは蒸気が温水入口６Ａから取り入れられ、使用後温水出口６Ｂから排出される。圧力調整装置３で調整された天然ガスは、供給ガス設備を介して、天然ガス供給系統に送出される。この温水供給設備もタイプＡユニットパッケージ１０の一部構成としてコンテナサイズのフレーム４のベーパーパッケージ収納領域内に収納載置するようにしてもよい。
【００３４】
ユニットパッケージ１０のコンテナサイズのフレーム４の寸法は、輸送上の制約を受けないよう現行法で定められているコンテナサイズとされる。搬送される時に、ＬＮＧ貯槽内部にＬＮＧを貯蔵しない。
【００３５】
タイプＡユニットパッケージ１０、すなわちユニットパッケージは、金属製のフレームからなるコンテナサイズのフレーム４とこのフレーム４に収納載置されたＬＮＧ貯槽１、および長手方向横置きのＬＮＧ蒸発器２およびその附属部品が一体として構成される。コンテナサイズのフレーム４は、コンテナ専用輸送車両２０に収納載置、固着され、天然ガス消費場所に搬送され、天然ガス消費場所に固定された時にタイプＡ ＬＮＧモバイルサテライト１００Ａと呼ばれる。
【００３６】
コンテナサイズのフレーム４、コンテナサイズのフレーム４内で配管にて接続して構成された、ＬＮＧ貯槽１、ＬＮＧ蒸発器２、圧力調整装置３、降圧装置５、付随するバルブ・計器類７からなる装置が一体化されたタイプＡユニットパッケージ１０により、タイプＡ ＬＮＧモバイルサテライト１００Ａが構成される。
【００３７】
上述したように、ＬＮＧ貯槽１が、長手方向横置きとされ、図３、図４に示すように、長手方向の長さおよび横断面がタイプＡユニットパッケージ１０に収納可能な長さおよび横断面とされて、コンテナ専用輸送車両２０に載置される。
【００３８】
タイプＡユニットパッケージ１０が、収納そのままの固定状態で、固定されて、タイプＡ ＬＮＧモバイルサテライト１００Ａの主要部を構成する。タイプＡ ＬＮＧモバイルサテライト１００を構成するタイプＡユニットパッケージ１０が、ＬＮＧ供給時そのままの固定状態で、タイプＡユニットパッケージ１０としてコンテナ専用輸送車両２０で他の場所に搬送、設置可能とされる。
【００３９】
ＬＮＧ貯槽１の外面に、シャックル等の吊り具取り付け用の取付け部を備える。金属製のコンテナサイズのフレーム４の外面に、アイボルト等の吊リ具を取り付けるための取付け部を備えるようにしてもよい。ＬＮＧ貯槽１には、側面にＬＮＧ受入れ充填口４１が設けられる。
【００４０】
ＬＮＧ貯槽１へのＬＮＧ受入れ充填に必要なバルブ・計器類７等の付帯設備並びにＬＮＧ払い出しに必要なバルブ・計器類７等の付帯設備、さらにはＬＮＧ貯槽１からのＬＮＧ払い出し能力をアップする場合のために貯槽内ＬＮＧ液面加圧用加圧蒸発器接続を想定した接続口等を備える。なお、貯槽内ＬＮＧ液面加圧用加圧蒸発器（図示せず）をタイプＡユニットパッケージ１０の一部構成としてコンテナサイズのフレーム４のベーパー部収納領域内に収納載置するようにしてもよい。
【００４１】
タイプＡユニットパッケージ１０は、バルブ・計器類、供給ガス圧力調整装置廻りのバルブ・計器７等を備える。
【００４２】
また、ＬＮＧ受入れ充填口４１以外にも、天然ガス出口５０(図５)、ＬＮＧ蒸発器用の温水入口６Ａならびに出口６Ｂ等、各ラインの接続端部分を備える。底部に固定用の足部が設けられる。
このようにして、タイプＡユニットパッケージ１０を備えたタイプＡ ＬＮＧモバイルサテライトシステムが構成される。
【００４３】
実施例１の場合、タイプＡ ＬＮＧモバイルサテライト１００Ａは、ＬＮＧ貯槽１、ＬＮＧ蒸発器２、圧力調整装置３、降圧装置５、付随するバルブ・計器類７を備え、これらを配管にて接続して構成され、これらの装置が金属製のコンテナサイズの一つ部分の形態のフレーム４に収納配置されて一体化されたタイプＡユニットパッケージ１０で構成される。
【００４４】
ＬＮＧ蒸発器２は、立て型配置とされ、その高さは、横置きされたフレーム横断面の高さと同一あるいはそれ以下とされる。ＬＮＧ蒸発器２は、立て型配置以外の、例えば横置きとされてもよい。ＬＮＧ蒸発器２は、任意方向の配置とすることができるが、図に示したように立て型配置にするのが望ましい。
【００４５】
タイプＡユニットパッケージ１０には、上述したように温水入口６Ａおよび温水出口６Ｂが配置される。温水入口６Ａおよび温水出口６Ｂは、配管８を介してＬＮＧ蒸発器２に接続され、ＬＮＧ蒸発器２は、配管を介して圧力調整装置３に接続される。温水入口６Ａから導入された温水は、ＬＮＧ蒸発器２で、ＬＮＧと熱交換され、ＬＮＧをガス化する。ガス化された天然ガスは、圧力調整されて、天然ガス送出系統に送出される。
【００４６】
図８において、ＬＮＧモバイルサテライト基地３０で、ＬＮＧモバイルサテライトタイプＡユニットパッケージ１０は、フレーム４を介して積層され得る。この例では積層した例を示す。一基のユニットパッケージ１０がコンテナ専用輸送車両２０の荷台に載置、固着される。
【００４７】
図８は、ユニットパッケージ１０使用状態を示す。
図８は、このようにタイプＡユニットパッケージ１０が、コンテナ専用輸送車両２０によって搬送される、搬送形態のユニットパッケージ１０、および天然ガス消費場所の土台ベース２１に固定されＬＮＧモバイルサテライトを構成する状態を示す。
【００４８】
図８(a)において、タイプＡ ＬＮＧモバイルサテライト１００Ａを構成するＬＮＧ貯槽１、ＬＮＧ蒸発器２、圧力調整装置３、降圧装置５、付随するバルブ・計器類７を備え、これらを配管にて接続して構成され、これらの装置が金属製のコンテナサイズのフレーム４に収納配置されて一体化されたタイプＡユニットパッケージ１０は、タイプＡ ＬＮＧモバイルサテライト１００ＡとしてＬＮＧ供給時そのままの固定状態で、ＬＮＧ貯槽１、ＬＮＧ蒸発器２、圧力調整装置３、降圧装置５、付随するバルブ・計器類７を備え、これらを配管８にて接続して構成され、これらの装置が金属製のコンテナサイズのフレーム４に収納配置される。
【００４９】
一体化されたタイプＡユニットパッケージ１０としてコンテナ専用輸送車両２０で他の場所に搬送される。
【００５０】
図８（ｂ）において、この状態で、ユニットパッケージ１０が天然ガス消費場所へ搬送される。この設置場所への運搬がなされ、荷降ろしがなされ、ユニットパッケージ１０の設置、固定がなされる。
【００５１】
コンテナ専用輸送車両２０によって搬送されたＬＮＧ貯槽１、ＬＮＧ蒸発器２、圧力調整装置３、降圧装置５、付随するバルブ・計器類７を備え、これらを配管８にて接続して構成され、これらの装置が金属製のコンテナサイズのフレーム４に収納配置されて一体化されたタイプＡユニットパッケージ１０として、土台ベース２１上に設置、固定される。
構成されたユニットパッケージ１０が、ＬＮＧモバイルサテライトの主要部を構成する、ＬＮＧ貯槽１、およびＬＮＧ蒸発器２およびその附属部品をフレーム４に収納そのままの状態で、コンテナ専用輸送車両２０で搬送され、フレーム４を介して天然ガス消費場所の土台ベース２１に固定されて、固定状態が維持されるＬＮＧモバイルサテライト１００を構成する。
【００５２】
図８（C）において、ＬＮＧモバイルサテライトが、ＬＮＧローリー車２０からＬＮＧの供給を受ける。温水入口から導入された温水は、ＬＮＧ蒸発器２で、ＬＮＧと熱交換され、ＬＮＧをガス化する。ガス化された天然ガスは、圧力調整されて、天然ガス送出系統に送出可能とされる。
図８（d）において、ガス化された天然ガスは、消費者に供給される。
【００５３】
フレーム４の土台ベース２１への固定状態が解除されると、ユニットパッケージ構成のＬＮＧ貯槽１、およびＬＮＧ蒸発器２およびその附属部品をフレーム４に収納そのままの状態で、ＬＮＧモバイルサテライト１００をコンテナ専用輸送車両２０で他の場所に搬送、設置することで運用可能なユニットパッケージとされる。
【００５４】
このようにして、コンテナ専用輸送車両２０による搬送時、ＬＮＧモバイルサテライトの土台ベースへの固定構成時、更なるにコンテナ専用輸送車両２０による搬送時おけるＬＮＧ貯槽１、およびＬＮＧ蒸発器２およびその附属部品をフレームに収納そのままの状態が維持され、ＬＮＧ供給を受けるパッケージ化されたＬＮＧモバイルサテライト１００が構成される。
【００５５】
図９は、本発明の実施例の運用フローを示す。
【００５６】
図９は、ＬＮＧタンカーで移送されてきたＬＮＧがＬＮＧ基地に一旦貯蔵され、一部のＬＮＧがパイプラインによる天然ガス（都市ガス）の直送により消費者１）２）３）に供給され、他のＬＮＧがＬＮＧローリー車２００で搬送され、パッケージ化されたＬＮＧモバイルサテライト１００から消費者Ａ、Ｂ、Ｃ・・・に送出されることが、ユニットパッケージ１０を構成することで可能になることを示す。消費者へのパイプラインによる天然ガス（都市ガス）供給開始後は、ＬＮＧモバイルサテライトを次の消費地（消費者）へ移動して再度使用される。これが繰り返される。一部の消費者、図では消費者Ａにパイプラインによる天然ガス（都市ガス）の直送によるＬＮＧの送出が可能になったとする。このような場合には、消費者Ａのために設置されていたＬＮＧモバイルサテライト１００は、ＬＮＧモバイルサテライト１００を構成するＬＮＧ貯槽１、ＬＮＧ蒸発器２、圧力調整装置３、降圧装置５、付随するバルブ・計器類７を備え、これらを配管８にて接続して構成され、これらの装置が金属製のコンテナサイズのフレーム４に収納配置されて一体化されたタイプＡユニットパッケージ１０が、ＬＮＧ供給時そのままの固定状態で、ＬＮＧ貯槽１、ＬＮＧ蒸発器２、圧力調整装置３、降圧装置５、付随するバルブ・計器類７を備え、これらを配管にて接続して構成され、これらの装置が金属製のコンテナサイズのフレーム４に収納配置されて一体化されたユニットパッケージ１０としてコンテナ専用輸送車両２０で他の場所、即ち消費者Ｄへの消費基地に搬送され、設置され、固定される。
【００５７】
このように、上述したＬＮＧモバイルサテライト１００が、ＬＮＧ貯槽１、ＬＮＧ蒸発器２、圧力調整装置３、降圧装置５、付随するバルブ・計器類７を備え、これらを配管８にて接続して構成され、これらの装置が金属製のコンテナサイズのフレーム４に収納配置されて一体化されたタイプＡユニットパッケージ１０としてコンテナ専用輸送車両２０によって他消費地へ搬送される。
【実施例２】
【００５８】
図１０〜図２０は、実施例２を示す。実施例１と同一の構成については同一の番号が付してあり、実施例１についての説明を援用し、実施例１にない構成を中心にして説明する。
【００５９】
図１０は、タイプＢタンクパッケージの斜視図、図１１〜図１９は、本発明の実施例であるＬＮＧモバイルサテライトの構成および設置状況を示す図であり、その内、図１１〜図１３はタイプＢタンクパッケージの正面図、平面図、側面図を示し、図１４は、タイプＢベーパーパッケージの斜視図、図１５〜図１８はタイプＢベーパーパッケージの正面図、平面図、左側面図、右側面図を示す。図１９は、図１４に示すタイプＢベーパーパッケージの変形例についての斜視図である。
【００６０】
図１０および図１４に示されるように、ＬＮＧ貯槽が、長手方向横置きとされ、ＬＮＧ貯槽、およびＬＮＧ蒸発器およびその附属部品の長手方向の長さおよび横断面がコンテナ輸送車両のコンテナサイズのフレームに収納可能な長さ内および横断面内とされて、コンテナ輸送車両に固着されるフレームにＬＮＧ貯槽、およびＬＮＧ蒸発器およびその附属部品が収納され、コンテナ輸送車両で搬送可能とされたユニットパッケージが構成される。
【００６１】
実施例１にあっては、ユニットパッケージ１０は、ＬＮＧ貯槽１、ＬＮＧ蒸発器２、圧力調整装置３、降圧装置５、付随するバルブ・計器類７を備え、これらを配管８にて接続して構成され、これらの装置が金属製のコンテナサイズの一つの部分からなるフレーム４に収納配置されて一体形態で構成された。
【００６２】
実施例２にあっては、図１０〜図１３および図１４〜図１８に示すように、ユニットパッケージ１０は、ＬＮＧ貯槽１および該ＬＮＧ貯槽１を収納載置するタイプＢタンクパッケージ１１およびＬＮＧ蒸発器２および該ＬＮＧ蒸発器２を収納載置したタイプＢベーパーパッケージ１２が別体形態で構成され、一体化される。フレーム４は、二つの部分からなり、一方がフレーム部４Ａとなり、他方がフレーム部４Ｂとなる。フレーム４Ｂとフレーム４Ａの形状は高さ、横断面とも同一であり、横方向長さのみがことなり、フレーム部４Ａの長さはフレーム部４Ｂの長さよりも長い。
【００６３】
図１２、図１３に示されるように、ＬＮＧ貯槽１には、ＬＮＧ受け入れ充填口４１、降圧装置５への接続口５１、ＬＮＧ払出し口５２等、各ラインの接続端部分が設けられる。
ＬＮＧ貯槽１は、フレーム部４Ａに載置、収納され、ＬＮＧ蒸発器およびその附属部品は、フレーム部４Ｂに載置、収納される。
【００６４】
ＬＮＧ貯槽１、コンテナサイズのフレーム４、ＬＮＧ蒸発器２、圧力調整装置３、バルブ・計器類、各種配管の構成、配置方法は実施例１と同様である。
【００６５】
別体形態であるが、ＬＮＧ貯槽１の構成、ＬＮＧ貯槽１を載置するタイプＢタンクパッケージ１１およびＬＮＧ蒸発器２およびＬＮＧ蒸発器２の附属部品を載置したタイプＢベーパーパッケージ１２が別体としてフレーム部４Ａ，４Ｂに載置、収納されることが異なり、構成、配置方法は実施例１に示される構成と同様である。別体形態とされ、切り離しされる構成とすることによって、ユニットパッケージ１０の構成に汎用性が増すことになる。  別体形態とすることで、ＬＮＧ蒸発器２を予め事前に複数用意しておくことが出来るようになる。これにより、天然ガス使用量に応じた最適な仕様のタイプＢベーパーパッケージ１２として選択、接合することが出来るようになる。
【００６６】
図１９は、タイプＢベーパーパッケージの変形例を示す。この例では、温水（蒸気）供給装置５０がタイプＢベーパーパッケージ１２に載置された例の構成を示す。このように、温水供給装置５０をタイプＢベーパーパッケージ１２上に載置してこのタイプＢベーパーパッケージ１２を構成してもよい。この例は、実施例１についても適用することが出来る。
【００６７】
図２０は、図８に対応し、タイプＢタンクパッケージ１１およびタイプＢベーパーパッケージ１２からなるユニットパッケージ１０が、コンテナ専用輸送車両２０によって搬送される、搬送形態のユニットパッケージ、および天然ガス消費場所の土台ベース２１に固定されＬＮＧモバイルサテライト１００Ｂを構成する状態を示す。
【００６８】
図２０（a）は、ＬＮＧ貯槽１を載置するタイプＢタンクパッケージ１１およびＬＮＧ蒸発器２を載置するタイプＢベーパーパッケージ１２の搬送時における状況を示し、説明は、図８（ａ）に記載したと同様であるが、別体のタイプＢベーパーパッケージ１２がタイプＢタンクパッケージ１１に近接して配置されること、タイプＢタンクパッケージ１１がコンテナ専用輸送車両２０によって搬送され、タイプＢベーパーパッケージ１２がコンテナ専用輸送車両２０によって別々に搬送されることにおいて異なる。ＬＮＧ貯槽１を載置するタイプＢタンクパッケージ１１およびＬＮＧ蒸発器２を載置するタイプＢベーパーパッケージ１２がそれぞれ別体のコンテナサイズのフレーム部４Ａおよびフレーム部４Ｂでそれぞれ構成されたものである。
【００６９】
図２０（b）において、近接配置されたタイプＢベーパーパッケージ１２がタイプＢタンクパッケージ１１に連結される。両パッケージは、共通のベースまたは土台ベース２１上に、同一水平高さに設置、固定されたフレーム部４Ａ，４Ｂ上に設置、固定される。
【００７０】
図２０（ｃ）、図２０（ｄ）の構成は、図８（ｃ）、図８（ｄ）に記載したと同様である。
【００７１】
実施例１および実施例２の双方を採用可能にしておくことによって、シェールガス革命により、安価で大量の天然ガスの安定供給が可能になったことに対応し、天然ガスのガス使用量や設置スペースの条件に応じていずれか適切な方を選択する、あるいは複合化、ユニット化することが容易に出来ることになる。
【００７２】
次に、上述したユニットパッケージを用いる本実施例の従来システムに比して優れた点を説明する。
【００７３】
１）建設・輸送について
大きい工事を要せず、建設のためのコストが小さい。また、一体型構造で、金属製フレームが採用できるので、積載・固定・輸送が容易であり、コストが少なくて済む。設置先においてレイアウト変更が生じた時に、変更に対応しやすく、対応に要する期間は短くて済む。
【００７４】
２）設置スペース・積み重ねについて
コンパクト化されるため、設置スペースを少なくすることが出来、建設しようとする場所の選択が容易になる。未使用の保管時には、積み重ねておくことが出来るので、省スペース化を図ることが出来る。
【００７５】
３）設置、建設期間について
ＬＮＧモバイルサテライトを構成する各パッケージ部は、工場において製作できるので、現地工事をほとんど要せず、現地工事を短くすることが出来る。
【００７６】
４）天然ガス消費量増加に伴う設備の増設について
天然ガス消費量に増加が生じた場合、ＬＮＧモバイルサテライトの増設を極めて容易に行うことが出来る。
【００７７】
５）移設・再運用について
ＬＮＧモバイルサテライトの構成要素は、基本的にすべて高圧ガス保安法の定置式設備に関する制約を受けるため、従来の定置式の装置にあっては設備一式を移設して他の場所で再運用することは一部の機器を除いて出来ないが、本実施例になるＬＮＧモバイルサテライトは、ＬＮＧ貯槽、ＬＮＧ蒸発器を含めて可搬式一体型構造構成であるので、移動式製造設備として製作する。天然ガス消費場所への設置においては第一種貯蔵所として申請し、日常の保安管理は消費先事業者の責務として運営する。移動式製造設備として要求される保安検査等は、移動式製造設備としての製造者（所有者）の責務として行う。このような高圧ガス保安法に基づく申請をすることによって、ユニットパッケージになるＬＮＧモバイルサテライトとしての移設が可能であり、再運用により資源活用がなされることになる。
【００７８】
６）パイプラインによる天然ガス（都市ガス）の直送が可能になった場合の撤去について
天然ガス消費者が、ＬＮＧモバイルサテライトからパイプラインに切り替えを行う時に、ＬＮＧモバイルサテライトを新規の天然ガス消費者のために撤去、移設することが可能である。
【符号の説明】
【００７９】
１…ＬＮＧ貯槽、２…ＬＮＧ蒸発器（気化器）、３…圧力調整装置、４…フレーム、４Ａ…タンクパッケージフレーム、４Ｂ…ベーパーパッケージフレーム、１０…ＬＮＧモバイルサテライトタイプＡユニットパッケージ（ユニットパッケージ）、１１…ＬＮＧモバイルサテライトタイプＢタンクパッケージ、１２…ＬＮＧモバイルサテライトタイプＢベーパーパッケージ、１１と１２…ユニットパッケージ、２０…コンテナ専用輸送車両（コンテナ輸送車両）、２１…土台ベース、１００…ＬＮＧモバイルサテライト、１００Ａ…タイプＡ ＬＮＧモバイルサテライト、１００Ｂ…タイプＢ ＬＮＧモバイルサテライト、２００…ＬＮＧローリー車。
【図１】
0005854479.tif 000002
【図２】
0005854479.tif 000003
【図３】
0005854479.tif 000004
【図４】
0005854479.tif 000005
【図５】
0005854479.tif 000006
【図６】
0005854479.tif 000007
【図７】
0005854479.tif 000008
【図８】
0005854479.tif 000009
【図９】
0005854479.tif 000010
【図１０】
0005854479.tif 000011
【図１１】
0005854479.tif 000012
【図１２】
0005854479.tif 000013
【図１３】
0005854479.tif 000014
【図１４】
0005854479.tif 000015
【図１５】
0005854479.tif 000016
【図１６】
0005854479.tif 000017
【図１７】
0005854479.tif 000018
【図１８】
0005854479.tif 000019
【図１９】
0005854479.tif 000020
【図２０】
0005854479.tif 000021